(57)【要約】【課題】木造家屋において、湿気による腐食や黴の発生を防止するとともに、白蟻による侵食を防止すること。【解決手段】本発明では、家屋の基礎部に防蟻処理を施した防蟻家屋（１）や、家屋の基礎部に施す防蟻工法において、土台（４）よりも上方側の木材（たとえば、大引（６）、柱（７）、間柱（８）、筋交い（９）など。）を第1の防蟻剤（たとえば、ホウ酸系防蟻剤など。）で処理して、表面に第1の防蟻剤による防蟻層（１３）を形成するとともに、土台（４）よりも下方側のコンクリート（たとえば、基礎（３）など。）や木材（たとえば、束柱（５）など。）を吸湿剤を含有する第２の防蟻剤（たとえば、木炭粉末を含有するホウ酸系防蟻剤など。）で処理することにした。【選択図】図１
2014015713.tif 000002
【特許請求の範囲】
【請求項１】
家屋の基礎部に防蟻処理を施した防蟻家屋において、
土台よりも上方側の木材を第1の防蟻剤で処理し、土台よりも下方側のコンクリートや木材を吸湿剤を含有する第２の防蟻剤で処理したことを特徴とする防蟻家屋。
【請求項２】
家屋の基礎部に施す防蟻工法において、
土台よりも上方側の木材を第１の防蟻剤で処理するとともに、土台よりも下方側のコンクリートや木材を吸湿剤を含有する第２の防蟻剤で処理することを特徴とする防蟻工法。
【発明の詳細な説明】
【技術分野】
【０００１】
本発明は、家屋の基礎部に防蟻処理を施した防蟻家屋及び家屋の基礎部に施す防蟻工法に関するものである。
【背景技術】
【０００２】
従来より、木造の家屋（住宅、社屋、工場など）においては、床下等の木質部分が白蟻によって侵食されると、倒壊のおそれがある。
【０００３】
そのため、木造の家屋では、有機リン酸系殺虫剤やピレストロイド系殺虫剤などの防蟻剤を床下等に散布する防蟻処理が施されている（たとえば、特許文献１参照。）。
【先行技術文献】
【特許文献】
【０００４】
【特許文献１】特開２００９−１５５２８８号公報
【発明の概要】
【発明が解決しようとする課題】
【０００５】
ところが、木造の家屋では、構造上、床下の湿気が多くなっているため、白蟻による侵食だけでなく、湿気による腐食や黴の発生による被害を受けるおそれがある。
【０００６】
また、従来のように有機リン酸系殺虫剤やピレストロイド系殺虫剤などの防蟻剤を用いた防蟻処理を施すと、防蟻剤が床下の水分に溶解してしまい、防蟻剤の防蟻効果が低減するおそれがあり、また、溶解した防蟻剤が水分とともに柱や壁等に侵入し、家屋の居住者に身体的な害を及ぼすシックハウス症候群の原因となるおそれもある。
【課題を解決するための手段】
【０００７】
そこで、請求項１に係る本発明では、家屋の基礎部に防蟻処理を施した防蟻家屋において、土台よりも上方側の木材を第１の防蟻剤で処理し、土台よりも下方側のコンクリートや木材を吸湿剤を含有する第２の防蟻剤で処理することにした。
【０００８】
また、請求項２に係る本発明では、家屋の基礎部に施す防蟻工法において、土台よりも上方側の木材を第１の防蟻剤で処理するとともに、土台よりも下方側のコンクリートや木材を吸湿剤を含有する第２の防蟻剤で処理することにした。
【発明の効果】
【０００９】
そして、本発明では、以下に記載する効果を奏する。
【００１０】
すなわち、本発明では、土台よりも上方側の木材を第１の防蟻剤で処理し、土台よりも下方側のコンクリートや木材を吸湿剤を含有する第２の防蟻剤で処理することにしているために、家屋の床下部分において吸湿剤の吸湿作用によって湿気による腐食や黴の発生を防止することができるとともに、防蟻剤の溶解を防止することができ、シックハウス症候群の発生を防止することができる。
【図面の簡単な説明】
【００１１】
【図１】本発明に係る防蟻家屋を示す断面模式図。
【発明を実施するための形態】
【００１２】
以下に、本発明に係る防蟻家屋及び防蟻工法の具体的な構成について図面を参照しながら説明する。
【００１３】
図１に示すように、本発明に係る防蟻家屋１は、従来の木造構造の家屋と同様に、地盤２にコンクリート製の基礎３を形成し、基礎３の上部に木製の土台４を取付けている。
【００１４】
また、防蟻家屋１は、基礎３の所要位置に木製の束柱５を取付け、束柱５の上部に木製の大引６を取付け、大引６を土台４に接続している。
【００１５】
また、防蟻家屋１は、土台４や大引６の上部に木製の柱７や間柱８や筋交い９を取付けるとともに、必要個所に木製等の床板10や内壁材11や外壁材12を取付けている。
【００１６】
そして、防蟻家屋１では、所定高さ（たとえば、基礎３の上面から１ｍの高さ）までのコンクリート製の基礎３や木製の土台４、束柱５、大引６、柱７、間柱８、筋交い９に防蟻剤による防蟻処理を施している。なお、床板10や内壁材11などにも防蟻剤による防蟻処理を施してもよい。
【００１７】
この防蟻家屋１では、土台４及び土台４よりも上方側の木材、すなわち、土台４、大引６、柱７、間柱８、筋交い９に第１の防蟻剤を用いて防蟻処理を施して、表面に第１の防蟻剤による防蟻層13を形成している。
【００１８】
ここで、第１の防蟻剤としては、人体への影響のないホウ酸系防蟻剤（ホウ酸塩類を１〜４０％含有する防蟻剤）を用いている。なお、防蟻処理は、土台４などの木材の表面に第１の防蟻剤を塗布や散布してもよく、土台４などの木材の内部に第１の防蟻剤を注入や浸漬させてもよい。
【００１９】
また、防蟻家屋１では、土台４よりも下方側のコンクリートや木材、すなわち、基礎３、束柱５に第２の防蟻剤を用いて防蟻処理を施し、表面に第２の防蟻剤による防蟻層14を形成している。
【００２０】
ここで、第２の防蟻剤としては、人体への影響のないホウ酸系防蟻剤（ホウ酸塩類を１〜４０％含有する防蟻剤）に吸湿作用を有する吸湿剤である粉末状の木炭を混入させた防蟻剤（ホウ酸塩類と木炭粉末とアクリルエマルジョン樹脂と木酢液からなる処理剤）を用いている。なお、防蟻処理は、コンクリート製の基礎３や木製の束柱５の表面に第２の防蟻剤を塗布や散布してもよく、木製の束柱５の内部に第２の防蟻剤を注入や浸漬させてもよい。また、木材に比べて吸湿性の低いコンクリート製の基礎３には、内側表面の全面に吸湿剤を含有する第２の防蟻剤を付着させるのが好ましい。さらに、土台４を第２の防蟻剤で処理してもよい。
【００２１】
このように、本発明に係る防蟻家屋１では、土台４よりも上方側の木材を第1の防蟻剤で処理し、土台４よりも下方側のコンクリートや木材を吸湿剤を含有する第２の防蟻剤で処理した構成となっている。
【００２２】
そして、本発明に係る防蟻工法は、上記構成の防蟻家屋１を形成する工法であり、既存の家屋に第１及び第２の防蟻剤を塗布や散布することで防蟻処理してもよく、また、第１及び第２の防蟻剤で防蟻処理した木材等を使用して家屋を建造してもよい。
【００２３】
以上に説明したように、上記防蟻家屋１や防蟻工法では、土台４よりも上方側の木材を第１の防蟻剤で処理し、土台４よりも下方側のコンクリートや木材を吸湿剤を含有する第２の防蟻剤で処理する構成に最も特徴を有している。
【００２４】
そのため、上記構成の防蟻家屋１や防蟻工法では、家屋の床下部分において吸湿剤の吸湿作用によって湿気による腐食や黴の発生を防止することができるとともに、防蟻剤の溶解を防止することができ、シックハウス症候群の発生を防止することができる。
【００２５】
特に、第１の防蟻剤としてホウ酸系防蟻剤を用いるとともに、第２の防蟻剤として木炭を含有するホウ酸系防蟻剤を用いた場合には、人体への影響を防止することができる。
【００２６】
なお、本発明では、第２の防蟻剤に吸湿剤が含有されていればよく、第１の防蟻剤にも吸湿剤が含有されていてもよく、また、第１の防蟻剤と第２の防蟻剤が同一の防蟻剤であってもよい。
【符号の説明】
【００２７】
１  防蟻家屋                      ２  地盤
３  基礎                          ４  土台
５  束柱                          ６  大引
７  柱                            ８  間柱
９  筋交い                        10  床板
11  内壁材                        12  外壁材
13  防蟻層                        14  防蟻層
【図１】
2014015713.tif 000003